(57)【特許請求の範囲】
【請求項１】
トラクタの後部に３点リンク装置を介して昇降可能に装着され、代掻ロ−タの上方を覆うシールドカバーの後端部に第１の整地体の前部を枢着し、該第１の整地体の後部に第２の整地体の前部を枢着すると共に、この第１の整地体及び第２の整地体と代掻ロ−タとの間に、耕土中のワラ稈を埋没処理するスプリングレーキを設けた農作業機において、
上記スプリングレーキの取付け基部を上下回動可能に設け、このスプリングレーキと前記第１の整地体とを、相互の回動が連動するように連繋させて、前記スプリングレーキの先端と前記第２の整地体の作用面との差をほぼ一定に保つようにしたことを特徴とする農作業機のスプリングレーキ支持構造。
【請求項２】
上記スプリングレーキの作用深さを調節可能としたことを特徴とする請求項１記載の農作業機のスプリングレーキ支持構造。
【発明の詳細な説明】
【０００１】
【発明の属する技術分野】
本発明は、シールドカバーの後端部に枢着した第１の整地体と代掻ロ−タとの間に設けたスプリングレーキと第１の整地体とを連動して回動するようにした農作業機のスプリングレーキ支持構造に関する。
【０００２】
【従来の技術】
従来、トラクタの後部に３点リンク装置を介して昇降可能に装着され、代掻ロ−タの上方を覆うシールドカバーの後端部に第１の整地体の前部を枢着し、該第１の整地体の後部に第２の整地体の前部を枢着すると共に、この第１の整地体及び第２の整地体と代掻ロ−タとの間に、耕土中のワラ稈、夾雑物等を埋没処理するスプリングレーキを設けた代掻作業機が周知である。
【０００３】
この先行技術の代掻作業機におけるスプリングレーキは、その取付け基部が固定されている。このため、代掻ロ−タの耕深や耕土中のワラ稈の多寡によって、スプリングレーキのワラ稈、夾雑物等の埋没処理効果に変化があった。即ち、圃場表面にワラ稈、夾雑物等が極端に多いような場合には、スプリングレーキにワラ稈、夾雑物等が詰まり、耕土を前方に押してしまい、均平性を損なうことになった。また、構造的にスプリングレーキと第１の整地体及び第２の整地体との間の間隔が狭く、スプリングレーキのワラ稈、夾雑物等の埋没処理効果が十分にあがらない場合があった。
【０００４】
【発明が解決しようとする課題】
上記のように、スプリングレーキの取付け基部が固定されていることと、スプリングレーキと第１の整地体及び第２の整地体との間の間隔が狭いことにより、スプリングレーキによるワラ稈、夾雑物等の埋没処理効果を十分にあげることができない、という問題点があった。
本発明は上記の問題点を解決することを目的になされたものである。
【０００５】
【課題を解決するための手段】
上記の目的を達成するために本発明は、以下の構成を有している。
Ａ．トラクタの後部に３点リンク装置を介して昇降可能に装着され、代掻ロ−タの上方を覆うシールドカバーの後端部に第１の整地体の前部を枢着し、該第１の整地体の後部に第２の整地体の前部を枢着すると共に、この第１の整地体及び第２の整地体と代掻ロ−タとの間に、耕土中のワラ稈を埋没処理するスプリングレーキを設けた農作業機において、
上記スプリングレーキの取付け基部を上下回動可能に設け、このスプリングレーキと前記第１の整地体とを、相互の回動が連動するように連繋させて、前記スプリングレーキの先端と前記第２の整地体の作用面との差をほぼ一定に保つようにしたことを特徴としている。
【０００６】
Ｂ．上記スプリングレーキの作用深さを調節可能としたことを特徴としている。
【０００７】
【作用】
上記の構成により農作業機のスプリングレーキ支持構造は、以下の作用を行う。
（１）請求項１の構成により、スプリングレーキと第１の整地体とが連動して回動して、スプリングレーキの先端と第２の整地体の作用面との差をほぼ一定に保つようにすることで、代掻ロ−タの耕深の変化や耕土中のワラ稈の多寡に関係なく、スプリングレーキによるワラ稈の埋没処理効果が安定してほぼ一定に行われる。従って、ワラ稈の埋没処理性能及び第１の整地体及び第２の整地体による整地・均平性能が向上する。
【０００８】
（２）請求項２の構成により、スプリングレーキの作用深さが調節可能なところから、耕土中のワラ稈の多寡によりスプリングレーキの作用深さを調節することでワラ稈の埋没処理効果がより高められる。また、スプリングレーキにより耕土を押すことがなくなり、第１の整地体及び第２の整地体による整地・均平性能が向上する。
【０００９】
【発明の実施の形態】
以下、本発明の一実施の形態を、添付の図面を参照して具体的に説明する。
【００１０】
図１ないし図３において、符号１は左右方向に所定の長さを有するロータリ代掻作業機で、その前部が、図示しないトラクタの後部に３点リンク連結機構を介して昇降可能に連結される。この代掻作業機１は、トラクタのＰＴＯ軸から、ユニバーサルジョイント、伝動シャフト等を介して動力が伝達され、代掻ロ−タ２を矢印方向に回転させて代掻作業を行う。代掻ロ−タ２は、回転軸２ａの軸周に多数の代掻爪２ｂを取付けたもので、この代掻爪２ｂに代えて耕耘爪、あるいは砕土爪を取付け、回転軸２ａの回転数を変えることにより耕耘作業、あるいは砕土作業に用いることも可能である。
【００１１】
代掻ロ−タ２の上方はシールドカバー３により覆われており、このシールドカバー３の後端部に第１の整地体４の前端部が枢着されている。第１の整地体４の後端部に第２の整地体５の前端部が枢着されている。これら第１の整地体４及び第２の整地体５と代掻ロ−タ２との間に、耕土中のワラ稈を埋没処理するスプリングレーキ６を設けている。このスプリングレーキ６は、取付け基部が回転軸６ａとなっており、この回転軸６に多数の線状のレーキ体６ｂが所定間隔に取付けられている。
【００１２】
スプリングレーキ６の回転軸６ａには連繋アーム７が取付けられ、この連繋アーム７の先端と第１の整地体４に設けたブラケット４ａとの間は連繋リンク８により連繋されていて、スプリングレーキ６と第１の整地体４とは相互の回動が連動するようになっている。ブラケット４ａと連繋リンク８との連繋部には、スプリングレーキ６の作用深さを調節するスプリングレーキ作用深さ調節機構９が設けられ、作用深さ調節ハンドル９ａの回動によりスプリングレーキ６の作用深さが調節される。スプリングレーキ６と第１の整地体４とは相互の回動が連動するので、スプリングレーキ６の先端と第２の整地体４の作用面との差Ａはほぼ一定に保たれる。
【００１３】
このような構成のロータリ代掻作業機１においては、代掻作業を行うときは、トラクタに３点リンク機構を介して装着されて水田に導入されて作業を行う。ロータリ代掻作業機１は、トラクタから動力を受け、ギヤボックスで変速されて本体フレームから伝動ケースを介して代掻ロ−タ２に伝達されて駆動し、代掻整地作業を行う。代掻ロ−タ２により代掻された土壌は、スプリングレーキ６にぶつかるように放てきされ、ワラ稈や夾雑物等はレーキ体６ｂに案内されて下方に放出され、スプリングレーキ６のレーキ体６ｂ間を通過した土壌は、ワラ稈や夾雑物の上に落下してワラ稈や夾雑物等を埋没させ、泥土の表面は第１の整地体４及び第２の整地体５により整地均平される。
【００１４】
このような代掻作業時に、スプリングレーキ６が後方に回動して上がると、第１の整地体４も連繋アーム７及び連繋リンク８を介して連動して上がる。第１の整地体４が先に上がっても、それに連動してスプリングレーキ６が上がる。従って、両者は常に一定の間隔Ａを保持しており、常に平均したワラ稈や夾雑物等の埋没と整地均平が行われる。また、圃場の状態や圃場面のワラ稈や夾雑物等の多寡に応じて、作用深さ調節ハンドル９ａによりスプリングレーキ作用深さ調節機構９を回動し、スプリングレーキ６の作用深さを適切な状態に調節して作業を行う。そのスプリングレーキ６の作用深さを調節した作業状態を、図４及び図５に示す。
【００１５】
図３の状態から図４及び図５の状態まで、第１の整地体４が上がると、それに連動してスプリングレーキ６が上がっている。一般に、軟らかい圃場ではスプリングレーキ６の作用深さを深くしてワラ稈や夾雑物等の埋設深さを深くする。また、圃場面のワラ稈や夾雑物等が多い場合には、スプリングレーキ６の作用深さを浅くしてワラ稈や夾雑物等の抵抗を少なくして第１の整地体４及び第２の整地体５による均平性を高める。
【００１６】
【発明の効果】
以上説明したように、本発明の代掻作業機のワラ稈埋没装置によれば、以下の効果を奏することができる。
【００１７】
（１）スプリングレーキの取付け基部を上下回動可能に設け、このスプリングレーキと第１の整地体とを、相互の回動が連動するように連繋させてスプリングレーキの先端と第２の整地体の作用面との差をほぼ一定に保つようにしたので、スプリングレーキと第１の整地体とが連動して回動することで、代掻ロ−タの耕深の変化や耕土中のワラ稈の多寡に関係なく、スプリングレーキによるワラ稈の埋没処理効果が安定してほぼ一定に行うことができる。従って、ワラ稈の埋没処理性能及び第１の整地体及び第２の整地体による整地・均平性能を向上させることができる。
【００１８】
（２）スプリングレーキの作用深さを調節可能としたので、スプリングレーキの作用深さが調節可能なところから、耕土中のワラ稈の多寡によりスプリングレーキの作用深さを調節することによりワラ稈の埋没処理効果をより高めることができる。また、スプリングレーキにより耕土を押すことがなくなり、第１の整地体及び第２の整地体による整地・均平性能を向上させることができる。
【図面の簡単な説明】
【図１】本発明による代掻作業機の概略側面図である。
【図２】スプリングレーキの概略正面図である。
【図３】本発明による代掻作業機の部分概略側面図である。
【図４】代掻作業機の作用説明図である。
【図５】代掻作業機の作用説明図である。
【符号の説明】
１  ロータリ代掻作業機
２  代掻ロ−タ  ２ａ  回転軸  ２ｂ  代掻爪
３  シールドカバー
４  第１の整地体  ４ａ  ブラケット
５  第２の整地体
６  スプリングレーキ  ６ａ  回動軸  ６ｂ  レーキ体
７  連繋アーム
８  連繋リンク
９  スプリングレーキの作用深さ調節機構  ９ａ  作用深さ調節ハンドル
Ａ  スプリングレーキの先端と第２の整地体の作用面との差（ほぼ一定）
【図１】
0004077107.tif 000002
【図２】
0004077107.tif 000003
【図３】
0004077107.tif 000004
【図４】
0004077107.tif 000005
【図５】
0004077107.tif 000006